(57)【要約】少なくとも１つの駆動要素（おもり１２）および少なくとも１つの制動要素（液体２３）を有する時計、特に、壁掛時計または置時計。制動要素の制動作用が、少なくとも１つの流動性媒体の静水圧的落差に依拠することによって、時計にかんして典型的ではない物理的原理にもとづき作動する時計が創成される。この原理を外側から良好に視認できれば好ましい。【選択図】図１
2004516459.tif 000002
【特許請求の範囲】
【請求項１】
少なくとも１つの駆動要素および少なくとも１つの制動要素を有する時計、特に、壁掛け時計または置時計において、制動要素の制動作用が、少なくとも１つの流動性媒体の静水圧的落差に依拠することを特徴とする時計。
【請求項２】
駆動要素が、第１軸線（Ａ−Ａ）に沿って延びる第１シャフト（１０）に第１トルク（Ｍ１）を加え、該制動要素が、第１トルク（Ｍ１）とは逆方向の第２トルク（Ｍ２）を第１シャフト（１０）を加え、該制動要素が、流動性媒体を含み第２軸線（Ｂ−Ｂ）のまわりに回転自在の少なくとも１つのドラム（２０）を有し、該ドラム（２０）が、回転に関して第１シャフト（１０）に連結されていることを特徴とする請求項１に記載の時計。
【請求項３】
該ドラム（２０）には、液体が部分的に充填されていることを特徴とする請求項２に記載の時計。
【請求項４】
第１シャフトが、第１軸線（Ａ−Ａ）と同心の２つの円形回転レール（１８）に剛に結合されていることを特徴とする請求項２または３に記載の時計。
【請求項５】
該ドラム（２０）には、２つの円筒対称性回転面（２５Ｂ）を有し第２軸線（Ｂ−Ｂ）に沿って延びる第２シャフト（２２）が直接的にまたは間接的に結合されており、上記回転面（２５Ｂ）の各々が、それぞれ、回転レール（１８）上に載置されることを特徴とする請求項４に記載の時計。
【請求項６】
該回転レール（１８）上に載る回転面（２５Ａ）の部分の周面を変化するための手段が設けてあることを特徴とする請求項４または５に記載の時計。
【請求項７】
回転面（２５Ａ）が、円錐台形に構成されており、上記回転面が、軸線方向へ摺動自在であることを特徴とする請求項４〜６の１つに記載の時計。
【請求項８】
第２軸線（Ｂ−Ｂ）を対称軸線とする正確に円筒形のドラム（２０）が設けてあることを特徴とする請求項２〜７の１つに記載の時計。
【請求項９】
円筒形ドラム（２０）の内部には、チャンバ隔壁（２８）によって分離された複数のチャンバ（２７）が含まれていることを特徴とする請求項８に記載の時計。
【請求項１０】
軸線方向へのチャンバ（２７）の投影が、扇形であり、隣接するチャンバ（２７）が、ボア（２８Ａ）によって相互に接続されていることを特徴とする請求項９に記載の時計。
【請求項１１】
該チャンバ隔壁（２８）が、軸線近傍に開口（２８Ｃ）を有することを特徴とする請求項９または１０に記載の時計。
【請求項１２】
該制動要素が、少なくとも１つのボアを有する少なくとも１つのチャンバ隔壁（２８）によって、それぞれ、少なくとも２つのチャンバ（２７）に分割された複数のチャンバ（２０）を有することを特徴とする請求項２〜１１の１つに記載の時計。
【請求項１３】
チャンバ隔壁（２８）が、それぞれ、ボア（２８Ａ）から離れる方向に延びる少なくとも１つのミゾ（２８Ｂ）を有することを特徴とする請求項９〜１２の１つに記載の時計。
【請求項１４】
該制動要素が、複数のドラムを有し、隣接のドラムが、相互に結合されていることを特徴とする請求項２〜１３の１つに記載の時計。
【請求項１５】
該駆動要素が、少なくとも１つのおもり（１１，１２）を有することを特徴とする請求項１〜１４の１つに記載の時計。
【請求項１６】
流動性媒体が水であることを特徴とする請求項１〜１５の１つに記載の時計。
【請求項１７】
水が、表面張力を減少する添加剤を含むことを特徴とする請求項１６に記載の時計。
【請求項１８】
該ドラムの少なくとも一部が、少なくとも部分的に透明材料からなることを特徴とする請求項２〜１７に記載の時計。
【請求項１９】
透明材料がプレキシガラスであることを特徴とする請求項１８に記載の時計。
【請求項２０】
回転面およびドラムが、互いに作用結合する歯付リムを有することを特徴とする請求項１〜１９の１つに記載の時計。
【請求項２１】
時計の調整のためおもりを変更できることを特徴とする請求項１〜２０の１つに記載の時計。
【請求項２２】
時計が、円形に配置された金属部材を有し、調節手段として金属部材に対する可変の作用によって、好ましくは、時計の微調整に役立つ磁石（３１）が設けてあることを特徴とする請求項１〜２１に記載の時計。
【請求項２３】
該金属部材が、同時に該チャンバ（２７）の構成に役立つネジ（３２）であることを特徴とする請求項２２に記載の時計。
【請求項２４】
磁石（３１）が、金属部材から形成されたリム（３３）の上方に変位自在に、好ましくは、旋回自在に配設されていることを特徴とする請求項２２または２３に記載の時計。
【発明の詳細な説明】
【０００１】
（関連出願の参照）
本出願は、２０００年１０月２８日に出願したドイツ特許出願２００１８５３７．３の優先権を請求し、かくして、このドイツ特許出願の開示内容は、明らかに、本出願の対象をなす（本出願に参照をもって繰込まれる）。
【０００２】
【発明の属する技術分野】
本発明は、請求項１の上位概念・前置部に記載の時計、特に、壁掛け時計または置時計に関する。即ち、本発明は少なくとも１つの駆動要素および少なくとも１つの制動要素を備える型の時計に関する。
【０００３】
【従来の技術】
壁掛け時計または置時計は、通常、観察者に実際の時刻を報知するという役割を有するのみならず、しばしば、飾りまたは装飾対象としても役立つ。このような多くの時計は、概ね、多数の歯車、バネを含む複雑な機構からなる内部機構内の視認を観察者に対して保証することから、魅力を引出す。
【０００４】
【発明が解決しようとする課題】
本発明の課題は、時計に関して典型的ではない物理的原理にもとづき作動する時計を創成することにある。この原理を外部から良好に視認できれば好ましい。
【０００５】
【課題を解決するための手段】
この課題は、請求項１の特徴部に記載の特徴を有する時計によって解決される。即ち、本発明の時計は、制動要素の制動作用が、少なくとも１つの流動性媒体の静水圧的落差に依拠することを特徴とする。
【０００６】
最近のすべての機械式時計と同様、この時計は、駆動要素および制動要素を有する。制動要素は、静水圧的落差にもとづき作動する。制動作用、即ち、駆動要素から供給されたエネルギの消失は、静水圧的落差を有する媒体の流動抵抗によって実現される。
【０００７】
更なる有利な構成は、従属請求項から知られよう。
【０００８】
【発明の実施の形態】
さて、実施例を示す添付の図面を参照して本発明を詳細に説明する。もちろん、実施例は、単なる例であり、発明コンセプトを特定の装置に限定するものではない。
【０００９】
軸線Ａ−Ａに同軸に延びる第１シャフト１０には、駆動ホイル１５が剛に設置してある。シャフト１０は、双方の軸受１０Ａによって回転自在に軸支されている（図２）。軸受１０Ａは、同じく、例えば文字盤も担持する架台に設置されている。架台および文字盤は、図面を見やすいよう図示してない。駆動ホイル１５には、双方の異なるおもり１１，１２を両端に設けたロープ１４が取付けてある。双方のおもりの重量差によって、駆動ホイル１５には、垂直力Ｆ１が作用し、かくして、第１回転モーメント（以下「トルク」と略称する）Ｍ１が生ずる（図２も参照。トルクは右ネジの進む方向を矢印Ｍ１で示す。以下同様）。接続支柱（支持要素）１７によって、第１シャフト１０には、第１シャフト１０に関して同心の２つの円形回転レール１８が設けてある。図２には、回転レール１８の断面を投影面としてのみ示した。更に、第１シャフト１０は、時針Ｓを担持する。関連の文字盤は、既述の如く、図面を見やすいよう図示してない。
【００１０】
円筒形ドラム２０は、このドラムの対称軸線Ｂ−Ｂに関して同心の第２シャフト２２を有する。第２シャフト２２の双方の端部には、それぞれ、滑らない材料（例えば、ゴム）から表面を構成した回転面２５Ａを有する回転ホイル２５が設けてある。上記回転面２５Ａの各々は、各回転レール１８上に載り、従って、ドラム２０は、部分的に、２つの回転レール１８の間に位置する。各回転レール１８と各回転面２５Ａとの間の摩擦にもとづき、第１シャフト１０および第２シャフト２０は、その回転に関して連結されている。ドラム２０は、その重力作用Ｆ２にもとづき、第１シャフト１０に第２トルクＭ２を加える。平衡状態では、第１トルクＭ１および第２トルクＭ２は、等大であるが、逆方向へ向く。
【００１１】
ドラム２０が、可動（ないし流動）媒体を含んでいない場合は、静的平衡が生ずる。しかしながら、この場合には、そのようなことは起こり得ない。ドラム２０は、６つのチャンバ２７に分割されている。これらのチャンバ２７は、それぞれ、セグメント（部分円弧）状底面を有し、チャンバ隔壁２８によって相互に分離されている。各チャンバ隔壁２８には、ボア２８Ａが設けてあり（図２参照）、従って、隣接する各チャンバ２７は、相互に接続されている。更に、各チャンバ隔壁２８は、軸線近傍に、空気圧補償のための開口２８Ｃを有する。これは、同じく、図２に示してある。
【００１２】
ドラム２０には、液体（例えば、水）が部分的に充填されている。第２シャフト２２は、回転レール１８の水平でない接線を有する箇所にあるので、ドラムまたはドラム内の水の重力作用にもとづき、トルク（回転モーメント）を第２シャフト２２に作用する。かくして、チャンバ内の異なる水位にもとづき、同じく、力平衡またはトルク平衡が達成されるまで、ドラムの回転によって、左側にあるチャンバが上昇される。高低差にもとづき、水は、水位が高い方のチャンバから水位が低い方のチャンバへ流れる。図１において、異なる水位を、陰影斜線の面２３で示した。
【００１３】
駆動要素は、例えば秒針を担持できるシャフトに第１トルクを加える。この駆動要素は、例えば、重力を作用できる。制動要素は、駆動要素によって形成されたトルクに逆方向へ作用する。駆動要素と制動要素との間の平衡は、時計の速度、即ち、時計の進む精度を決定する因子である。制動要素は、第２シャフト２２のまわりに回転自在に配設され部分的に液体を充填したドラム２０から構成されている。ドラムは、その回転運動に関して、第１シャフトに連結されている。制動作用は、ドラム内の液体の流動抵抗から生ずる。回転運動の連結（Ｋｏｐｐｌｕｎｇ）は、間接的にのみ行われる。駆動トルクとは逆方向の制動トルクは、重力作用によって形成される。
【００１４】
この流動運動の速度は、ボア２８Ａの大きさおよび水の粘度によって決定される。この流動運動にもとづき、ドラム２０、即ち、回転レール１８または第１シャフト１０が回転される。この場合、水の流動抵抗はブレーキとして作用する。
【００１５】
時計の進行速度の微調整は、調節ホイル２６（図２参照）によって達成される。回転（走行）面２５Ａは、円錐台形に形成されている。調節ホイル２６および２つのネジ山（図示してない）によって、回転ホイル２５の軸線方向位置および回転面２５Ａの軸線方向位置を変位できる。かくして、回転レール１８上の回転面２５Ａの当接点を変更でき、かくして、回転面２５Ａの有効周面（有効回転接触面ないし帯）を変更でき、従って、有効半径も変更できる。このような変更によって、第１シャフト１０と第２シャフト２２との間の変速比を変更できる。即ち、回転面２５Ａの有効周面（長さ）を減少すると、時計が減速され、逆に、有効周面を増大すると、時計が増速される。
【００１６】
操作手段は、図４に示した如く、磁石３１（好ましくは、棒磁石）から形成することもできる。チャンバは、リム３３のネジ３２によって統合（組付け）される。さて、磁石を旋回自在にリムの近傍に位置決めすれば、好ましくは、リムの上方に設置すれば、磁石は、正しい位置において、磁石の無い場合よりも水位を低下するよう作用する。なぜならば、磁石が、ネジを引付けるからである。かくして、時計を幾分遅れ状態に調整する場合、磁石３１を矢印３４の方向へ何れにせよネジ３２へ向かって旋回することによって、磁石３１で時計を微調整できる。磁石は、側面図で見て、時計の中心面に関して対称に配置するのが好ましい。対応する実施例は、もちろん、他の実施例でも実現できる。
【００１７】
ドラム２０内の流動性媒体として水を使用した場合、添加剤（例えば、洗剤）によって表面張力を低下したとしても、水の大きな表面張力がある程度問題となる。対応して大きい流動抵抗を得るためボア２８Ａを比較的小さく選択する必要があるので、大きい表面張力にもとづき水の流動が完全に停止し、かくして、時計が停止されることになる恐れがある。この問題は、チャンバ隔壁にボア２８Ａから出発するミゾ２８Ｂを設けることによって克服できる。水は、ボア２８Ａから出発して上記ミゾにも流入するので、かくして、表面張力がもはや顕著な役割を果たさなくなるまで、表面積を拡大できる。
【００１８】
チャンバ隔壁を完全に除去し、水の代わりに高粘性媒体を使用することも考えられる。この場合、媒体（例えば、油）は、常時非水平の表面を有する。この場合、制動作用は、油の内部摩擦に依拠する。この場合、しかしながら、大半の高粘性液体の粘度は強く温度に依存し、従って、僅かな温度変動も著しい進行差を招くことになるという問題点がある。
【００１９】
更に付言するが、流動性媒体として対象となるのは液体だけではなく、微粒固形物（例えば、砂など）も、原理的に流動性媒体として使用できる。
【００２０】
図３に、制動要素の他の実施例を示した。この場合、上述の実施例の場合と同様に時計の残部と共働する第２シャフト２２は、ドラムを直接に担持せず、軸線Ｂ−Ｂに関して同心の円形ディスク３０を担持する。このディスク３０は、対称に配置された６つのドラム２０を担持する。ドラム２０の数は、任意に選択できるが、少なくとも２ヶでなければならない。各ドラム２０は、チャンバ隔壁２８によって２つのチャンバ２７に分割されている。各チャンバ隔壁は、２つの縁側ボア２８Ａおよび１つの中心開口２８Ｃを有する。これらは、最上位にあるドラムのみを参照して説明する。第１実施例の場合と同様、ボア２８Ａは、水の流動に役立ち、その大きさが、流動抵抗を規定する。この実施例の場合も、ボアから離れて延びるミゾがチャンバ隔壁に設けてある。これらのミゾは、図３には示してない。中心開口２８Ｃは、空気圧補償に役立つ。ボア２８Ａの径に応じて、中心開口２８Ｃを省くこともできる。
【００２１】
図４に、制動要素の第３実施例を示した。この場合も、第２シャフト２２には、円形ディスク３０が設けてある。このディスク３０は、各側に、ドラム２０を担持する。この場合、立面図（側面図）で見て、各ドラムは、他の側の２つのドラムと重畳する。この場合も、各側のドラム数は、必ずしも６ヶである必要はない。図４に、ディスクの背面のディスクを破線で示した。重畳するドラム２０は、ディスク２０を貫通して延びるボア２８によって相互に接続され、従って、ドラム内にある水は、隣接のドラムの間を流動できる。この場合、ドラム２０は、第１実施例のチャンバ２７の機能を有する。押込まれた空気の排出を容易化するため、通常は外側のボア２８よりも大きい空気穴２９が内部（半径方向中心側）に設けてある。この場合も、ボア２８から離れて延びるミゾを設ければ有利である。
【００２２】
回転面およびドラムは、歯付リムを介して作用結合させることもできる。このような事例において時計の調整を容易化するため、１つまたは２つのおもり１１，１２を交換できなければならず、あるいは、おもりの重量を変更できなければならない。
【００２３】
基本的に、制動要素、即ち、例えば、第１実施例で示したドラムを第１シャフト１０に直接に設け、剛に結合することも考えられる。この場合、第１軸線Ａ−Ａおよび第２軸線Ｂ−Ｂは一致する。
【００２４】
時計の作動原理は、外側から確認できなければならないので、１つまたは複数のドラムを透明材料（例えば、プレキシガラス：Ｐｌｅｘｉｇｌａｓ（商標名））から作製すれば有利である。
【００２５】
各請求項と均等の範囲内において上記説明の改質、変更および適合化を行い得ることは自明であろう。
【図面の簡単な説明】
【図１】
架台および文字盤を除いた時計全体の立面図（側面図）である。
【図２】
図１の線Ｈ−Ｈに沿う断面図である。
【図３】
制動要素の部分切欠立面図である。
【図４】
他の制動要素の立面図である。
【符号の説明】
Ａ−Ａ  第１軸線
Ｂ−Ｂ  第２軸線
１０    第１シャフト
１０Ａ  軸受
１１    第１おもり
１２    第２おもり
１４    ロープ
１５    駆動ホイル
１８    回転レール
２０    ドラム
２２    第２シャフト
２３    液体
２５    回転ホイル
２５Ａ  回転（走行）面
２６    調整ホイル
２７    チャンバ
２８    チャンバ隔壁
２８Ａ  ボア
２８Ｂ  ミゾ
２８Ｃ  開口
２９    空気穴
３０    ディスク
３１    磁石
３２    ネジ
３３    リム
Ｓ      秒針
【国際公開パンフレット】
2004516459.tif 000003
2004516459.tif 000004
2004516459.tif 000005
2004516459.tif 000006
2004516459.tif 000007
2004516459.tif 000008
2004516459.tif 000009
2004516459.tif 000010
2004516459.tif 000011
2004516459.tif 000012
2004516459.tif 000013
2004516459.tif 000014
2004516459.tif 000015
2004516459.tif 000016
2004516459.tif 000017
2004516459.tif 000018
2004516459.tif 000019
【国際調査報告】
2004516459.tif 000020
2004516459.tif 000021
2004516459.tif 000022
2004516459.tif 000023